(57)【要約】【課題】  子局装置が親局装置からの通報情報の重要度に応じて、受話器の鳴動の態様を効果的に制御することができる無線通信システムを提供することを目的とする。【解決手段】  親局が少なくとも１つの端末局に対して通報情報を無線送信し、これを受信した端末局が前記親局から受信した通報情報を受令して出力する無線通信システムにおいて、前記親局は通報情報毎に重要度情報を付加して端末局に対して無線送信する重要度情報付加手段と、前記少なくとも１つの端末局は受信した通報情報毎の重要度情報に基づいて当該端末局の受話鳴動を当該通報情報に付加された重要度情報に応じて行う受話鳴動手段とを有することを特徴とする。【選択図】  図１
2005348020.tif 000002
【特許請求の範囲】
【請求項１】
親局が少なくとも１つの端末局に対して通報情報を無線送信し、これを受信した端末局が前記親局から受信した通報情報を受令して出力する無線通信システムにおいて、
前記親局は通報情報毎に重要度情報を付加して端末局に対して無線送信する重要度情報付加手段と、
前記少なくとも１つの端末局は受信した通報情報毎の重要度情報に基づいて当該端末局の受話鳴動を当該通報情報に付加された重要度情報に応じて行う受話鳴動手段とを有することを特徴とする無線通信システム。
【請求項２】
親局である統制局が複数の端末局に対して一斉指令の通報情報を無線送信し、これを受信した端末局が前記統制局から受信した一斉指令の通報情報を受令して出力する防災行政用の無線通信システムにおいて、
前記統制局は通報情報毎に重要度情報を付加して端末局に対して無線送信する重要度情報付加手段と、
前記複数の端末局の各々は受信した通報情報毎の重要度情報に基づいて当該端末局の受話鳴動を当該通報情報に付加された重要度情報に応じて行う受話鳴動手段とを有することを特徴とする防災行政用の無線通信システム。
【請求項３】
前記受信した通報情報の重要度情報に基づいて、予め設定した重要度の通報情報の出力を行った場合に、当該出力したことを示す信号を前記親局に返信する重要通報情報出力返信手段を有することを特徴とする前記請求項１または請求項２に記載の無線通信システム。
【請求項４】
親局装置が子局装置に対して通報情報を無線により送信し、子局装置が親局装置から受信した通報情報を受令して出力する無線通信システムにおいて、
親局装置は、通報情報に重要度情報を付加する重要度情報付加手段と、
通報情報を子局装置に対して無線送信する通報情報無線送信手段と、を備え、
子局装置は、親局装置から無線送信される通報情報を受信する通報情報受信手段と、
受信した通報情報に重要度情報が含まれる場合に当該重要度情報を抽出する重要度情報抽出手段と、
重要度情報抽出手段により抽出される重要度情報に基づいて、通報情報受信手段により受信される通報情報の受令鳴動を、重要度情報に応じて出力状態を可変する通報情報出力手段とを備えた、ことを特徴とする無線通信システム。
【発明の詳細な説明】
【技術分野】
【０００１】
本発明は、親局装置から子局装置へ通報情報を無線により送信する無線通信システムに関し、特に、子局装置において通報情報の重要度に応じて子局装置の受話器の鳴動の態様を制御する技術に関する。
【背景技術】
【０００２】
例えば、県防災無線システムや市町村デジタル同報通信システム等の防災行政無線システムなどの同報無線システムでは、親局装置から子局装置へ音声の一斉指令を発し、子局装置が当該音声を録音することや再生することが行われている（例えば、非特許文献１参照。）。
そこで、同報無線システムに備えられる子局装置である受信機に電話機を用いている場合について説明する。
同報無線システムの電話受信機では、自機宛ての同報通信を受信すると、自機のスピーカが受令した場合に鳴動し、電話受信機の受話器を操作者が取ることにより、通報の内容である通報情報を音声出力し、操作者はこれを聴話している。
また、通報情報の録音をするか否かの判断が操作者の操作により行われ、一例として、同報通信の種別が緊急一括通報或いは個別通報である場合には録音するようスイッチ等を操作するものである。
また、上述の電話受信機を戸別受信機として同報無線システムを構築している場合もある。
【０００３】
なお、重要度に基づく制御方式や、優先度に基づく制御装置も検討等されている（例えば、特許文献１、２参照。）。
【０００４】
【特許文献１】特開２０００−２５０５９５号公報
【特許文献２】特開平１１−６６６９４号公報
【非特許文献１】「市町村デジタル同報通信システム  推奨規格（案）」、財団法人電波産業会、平成１５年３月
【発明の開示】
【発明が解決しようとする課題】
【０００５】
しかしながら、同報無線システムにおける電話受信機の同報通信方式では、通報情報の重要度に関係なく受話器の鳴動状態が同じであった。
そして、上述の電話受信機を戸別受信機として同報無線システムを構築している場合には、戸別受信機の受信鳴動が通報情報の重要度に関係なくされていた。
そのため、極めて重要な通報情報であっても、操作者が重要であることを認識せずに受話器を取ってしまい、通報情報の内容を聞き逃してしまうという問題点があった。
特に、防災情報などのように、情報の聴話漏れを生じないようにしたい重要な情報については、このような問題が大きかった。
【０００６】
本発明は、このような従来の事情に鑑み為されたもので、子局装置が親局装置からの通報情報の重要度に応じて、受話器の鳴動の態様を効果的に制御することができる無線通信システムを提供することを目的とする。
【課題を解決するための手段】
【０００７】
上記従来の問題点を解決するため請求項１に記載の発明は、親局が少なくとも１つの端末局に対して通報情報を無線送信し、これを受信した端末局が前記親局から受信した通報情報を受令して出力する無線通信システムにおいて、前記親局は通報情報毎に重要度情報を付加して端末局に対して無線送信する重要度情報付加手段と、前記少なくとも１つの端末局は受信した通報情報毎の重要度情報に基づいて当該端末局の受話鳴動を当該通報情報に付加された重要度情報に応じて行う受話鳴動手段とを有することを特徴とする。
【０００８】
上記従来の問題点を解決するため請求項２に記載の発明は、親局である統制局が複数の端末局に対して一斉指令の通報情報を無線送信し、これを受信した端末局が前記統制局から受信した一斉指令の通報情報を受令して出力する防災行政用の無線通信システムにおいて、前記統制局は通報情報毎に重要度情報を付加して端末局に対して無線送信する重要度情報付加手段と、前記複数の端末局の各々は受信した通報情報毎の重要度情報に基づいて当該端末局の受話鳴動を当該通報情報に付加された重要度情報に応じて行う受話鳴動手段とを有することを特徴とする。
【０００９】
上記従来の問題点を解決するため請求項３に記載の発明は、前記請求項１または請求項２に記載の無線通信システムであって、前記受信した通報情報の重要度情報に基づいて、予め設定した重要度の通報情報の出力を行った場合に、当該出力したことを示す信号を前記親局に返信する重要通報情報出力返信手段を有することを特徴とする。
【００１０】
上記従来の問題点を解決するため請求項４に記載の発明は、親局装置が子局装置に対して通報情報を無線により送信し、子局装置が親局装置から受信した通報情報を受令して出力する無線通信システムにおいて、親局装置は、通報情報に重要度情報を付加する重要度情報付加手段と、通報情報を子局装置に対して無線送信する通報情報無線送信手段と、を備え、子局装置は、親局装置から無線送信される通報情報を受信する通報情報受信手段と、受信した通報情報に重要度情報が含まれる場合に当該重要度情報を抽出する重要度情報抽出手段と、重要度情報抽出手段により抽出される重要度情報に基づいて、通報情報受信手段により受信される通報情報の受令鳴動を、重要度情報に応じて出力状態を可変する通報情報出力手段とを備えた、ことを特徴とする。
【００１１】
通報情報に関する重要度情報としては、種々な情報が用いられてもよく、例えば、通報情報が重要な情報であるか或いは重要ではない情報であるかを示す情報や、或いは、通報情報の重要度の度合いを数値などで示す情報などを用いることができる。
また、重要度情報や、通報情報は、例えば、親局装置から複数の子局装置に対して同報的に送信される。
一例として、親局装置は、重要度情報を無線送信した後に、当該重要度情報に対応した通報情報を無線送信する。この場合、子局装置は、重要度情報を受信した後に、当該重要度情報に対応した通報情報を受信する。
一例として、親局装置は、各同報通信毎に、重要度情報を付加する。例えば、各同報通信毎に、重要度情報が付加された通報情報を送信する。
【００１２】
一構成例として、親局装置は、子局装置への通報情報の重要度を設定する重要度設定手段を備える。
従って、親局装置において、例えば人（通報者）などにより通報情報の重要度を設定することが可能である。
ここで、重要度設定手段は、例えば人により操作されて、通報情報の重要度を設定する。
また、重要度設定手段は、例えば、通報情報に関する情報と共に、当該通報情報に対して設定された重要度を提示する情報提示手段を有する。
一例として、情報提示手段は、情報を表示する画面から構成される。
例えば、無線通信システムは、アナログ或いはデジタルの同報無線システム、固定系システム、市町村デジタル同報通信システム、防災行政無線システムなどに適用される。
【発明の効果】
【００１３】
本発明に係る無線通信システムによると、親局装置では、通報情報に重要度情報を付加して子局装置に対して無線送信し、また、子局装置では、受信した通報情報の重要度情報に基づいて子局装置の受話鳴動を当該通報情報の重要度に応じて行うようにする。
すなわち重要度が高い場合には受話音量を大きく、または、受話音質を通常の音質とは変えて鳴動するようにしたため、子局装置では親局装置からの通報情報の重要度に応じて受話鳴動を変えることができ、さらに、重要度の高い通報情報を聴話した旨を親局装置が把握することができ、通報情報の鳴動の態様を効果的に制御することができる。
【発明を実施するための最良の形態】
【００１４】
本発明に係る一実施例を図面を参照して説明する。
本実施例では、災害時などに行政機関などから住民へ災害関連情報等を告知する同報無線システムや、このような同報無線システムの通信機器や通信方法に、本発明を適用した場合を示す。
また、本実施例では、固定系デジタル無線システムに、本発明を適用した場合を示す。具体的には、本実施例では、固定系デジタルの同報無線システムにおいて、子局装置である戸別受信機に電話機を用い、親局装置であるセンター局からの音声通報を受信して戸別受信機が鳴動し、音声通報の内容を録音や再生する場合を示す。
なお、固定系デジタル無線システムは、例えば、デジタル無線系のみから構成されてもよく、或いは、デジタル無線系とアナログ無線系との両方が混在するように構成されてもよい。ここで、アナログ無線系は、例えば図２に示されるような本例のデジタル無線系と同様なシステムとして構成することが可能であり、例えば、指令台１からアナログ系に接続することができるようにする。
【００１５】
図２には、本例のデジタル無線通信方式の同報無線システムの構成例として、親局装置である１個の統制局１０と、子局装置である複数個の端末局２０、２１と、少なくとも１個の中継局３０を示してある。
ここで、本例の同報無線システムでは、一部の端末局２１は中継局３０を介して統制局１０と無線通信するように設定されており、他の端末局２０は中継局３０を介さずに統制局１０と直接的に無線通信するように設定されている。
統制局１０は、操作や指令を行うための指令台１と、制御装置２と、無線により信号を送信や受信する親局無線装置３と、送受信のアンテナ４を備えている。
中継局３０は、例えば、２架構成であり、具体的には、統制局１０との間で無線通信を行う装置（対統制局装置）と、端末局２１との間で無線通信を行う装置（対端末局装置）とを接続して構成されている。
各端末局２０、２１は、統制局１０或いは中継局３０との間で無線通信を行うアンテナ６及び子局無線装置６と、電話機７とより構成され、統制局１０または中継局３０より受信した場合に受令鳴動するスピーカや、受信情報に基づいて受令鳴動の鳴動の仕方を選択するためのメモリテーブル、受信情報を記憶するためのＩＣメモリなどのメモリから成る蓄積部や、蓄積部への情報の記憶を実行する機能や、蓄積部からの情報の再生を実行する機能を有している。
【００１６】
この図２に示すような発明の実施の形態は、指令台１、制御装置２、親局無線装置３、アンテナ４により統制局１０は構成され、また、アンテナ５、子局無線装置（無線部を含む回線接続制御装置）６、受令電話機７により端末局２０、２１は構成され、そして、制御装置６または電話機７には呼出音生成部が備えられる。
例えば、統制局１０の指令台１から音声一斉指令を発令する際に一斉指令の種別を通常または緊急などの重要度に応じて選択し、一斉指令を発令をする。
一斉指令の種別を含めた一斉起動信号の電文が制御装置２から親局無線装置３、アンテナ４より送信され、端末局２０（または中継局３０を介した端末局２１）がこれを受信する。
端末局２０、２１は、アンテナ５、子局無線装置６は、受信した一斉指令起動信号の一斉種別により、重要度が高い、例えば「緊急」の場合、通常の一斉指令の場合より高い周波数で呼出音生成部を発振制御して、電話機７を鳴動音（呼出音）を出力する。
このように受令電話機の呼出鳴動音によって、通常の一斉指令か、若しくは、緊急度の高い重要な一斉指令であるかの区別が付く。
【００１７】
図３には、統制局と端末局の送受信を行う場合のデータフォーマットの一例を示してある。
このデータフォーマットは具体的には、バースト過渡応答ランプ時間「Ｒ」、同期ワード「ＳＷ」、チャネル種別「Ｃ」、トラフィックチャネル「ＴＣＨ」、高速付随チャネル（通話、通報情報）「ＦＡＣＣＨ」、重要度情報「Ｊ」、ガード時間「Ｇ」、パイロットシンボル「Ｐ」、より構成され、バースト信号として送受信される。
そして、通話や通報としての情報（データ）の内容、及び、当該通話や通報の重要度情報「Ｊ」が、高速付随チャネル「ＦＡＣＣＨ」に組み込まれている。
なお、図中の数値はシンボル数の一例を示している。
【００１８】
図４には、統制局の通報情報を記憶するメモリテーブルの一例を示してある。
具体的には、それぞれの通報情報は、通報の番号（通報Ｎｏ）Ｄ４１と、通報の種別である通報プロトコルＤ４２と、通報の重要度を示す重要度情報Ｄ４３と、通報のメディアを示すメディア種別Ｄ４４と、通報の内容である通話、通報情報Ｄ４５とを対応させて構成されている。
通報ＮｏＤ４１としては“００１”、“００２”、“００３”、・・・といった番号を示す情報が用いられており、通報プロトコルＤ４２としては“個別通報”や“一斉通報”、“通話”を示す情報が用いられており、重要度情報Ｄ４３としては、“１”、“２”、“３”を示す情報が用いられており、メディア種別Ｄ４４としては通報するメディアの種類“音声”、“文字”、“テレメータデータ”、“テレメータ音声”、“緊急音声”、・・・等が用いられており、通話、通報情報Ｄ４５としては実際の通話や通報の内容をテキストデータとして示す文字列や数値を示す情報が用いられている。
ここで、本例の重要度情報Ｄ４３では、数値が小さいほど重要度が高く重要であるとする。
【００１９】
図５には、端末局のメモリテーブルの一例を示してある。
これは、端末局２０、２１の通報情報の重要度（重要度情報Ｄ４３）に応じて、受令鳴動の仕方を選択するためのメモリテーブルであって、図５（ａ）は重要度に応じて音量が変わる場合の一例、図５（ｂ）は重要度に応じて音質が変わる場合の一例を示す。
図５（ａ）において、受信した通報情報の重要度が高い場合（重要度＝１）、「音量＝大」にて鳴動し、重要度が低い場合（重要度＝３）、「音量＝小」にて鳴動する。
ここで、音質については、例えば、音質「１」「２」「３」の各々には、異なる鳴動音や鳴動曲、または鳴動リズムが設定されており、前述した図４のメディア種別の種類に応じて予め設定された音質が鳴動するものである。
また、図５（ｂ）においては、受信した通報情報の重要度が高い場合（重要度＝１）、「音質＝１」にて鳴動し、重要度が低い場合（重要度＝３）、「音質＝３」にて鳴動する。
例えば、音質「１」「２」「３」の各々には、異なる鳴動音や鳴動曲、または鳴動リズムが設定されており、重要度の高い「音質＝１」は重要度の低い「音質＝３」に比べて、曲調が速い曲を設定している、またはリズムの速い鳴動パターンを設定している、などを音質として予め設定している。
ここで、音量については、例えば、音質「１」「２」「３」の各々には、異なる音量を設定しており、前述の図４のメディア種別の種類に応じて予め設定された音量にて前記の音質が鳴動するものである。
【００２０】
図１には、統制局から端末局へ一斉指令の情報を送信する場合の動作シーケンスの一例を示してある。
指令台１より指令（通報）を行う場合、通報プロトコルＤ４２を選択する（ステップＳ１１）。
選択した通報プロトコルが一斉通報の場合、当該通報の内容（一斉通報の情報）の重要度を選択する（ステップＳ１２）。この重要度の選択は指令台から操作入力により設定される場合や、他の装置、例えばテレメータの測定データが所定の値を越えた場合等の緊急通報として設定されている場合などがある。
そして、前述した図４のメモリテーブルに、通報プロトコルＤ４２「一斉通報」の旨の信号、及び、重要度情報Ｄ４３に重要度を示す情報が記憶され（ステップＳ１３）、制御装置２と親局無線装置３を介して送信される（ステップＳ１４）。
【００２１】
ここで、ステップＳ１４の送信は一斉通報であって、端末２０の各々はそれぞれ当該一斉通報を受信する（ステップＳ２１）。そして、当該受信したデータが一斉通報である旨を高速付随チャネル「ＦＡＣＣＨ」より抽出し、前述した図５（ａ）または（ｂ）に示すようなメモリテーブルを参照する（ステップＳ２２）。
ステップＳ２２にて参照した結果、例えば、重要度が「高い」場合には、図５（ａ）の「Ｄ５２：音量大」が選択されて、電話機７の鳴動音（呼出音）が出力される（ステップＳ２４）。
または、ステップＳ２２にて参照した結果、例えば、重要度が「高い」場合には、図５（ｂ）の「Ｄ６２：音質１」が選択されて、電話機７の鳴動音（呼出音）が出力される（ステップＳ２４）。
このような動作により、一斉通報の場合に重要度情報を付加して送信し、これを受信した端末局では鳴動音の音量や音質を可変して出力することができる。
【００２２】
さらに、重要度が高い一斉通報を受信した場合、電話機の備えられたＬＥＤを点灯したり、表示画面に重要度の高い一斉通報を受信した旨を表示することで、音と視覚の両方に重要度の高い旨を感覚的に把握させることができる。
例えば、ステップＳ２２でのメモリテーブル参照した結果、重要度の高い一斉通報の場合には、ステップＳ２４の鳴動音出力と共にＬＥＤを点滅させる（ステップＳ２３）。
そして、電話機７の送受話部をとる（いわゆる電話をとる）ことで、一斉通報の聴話を行ったと判断してＬＥＤを消灯させる（ステップＳ２５）。
またさらに、重要度の高い一斉通報を受信し、これを聴話したことを返信（ステップＳ２６、ステップＳ１５）することで、統制局では一斉通報を聴話した端末局を把握することができ、例えば未聴話の端末の表示を指令台１の表示部等に行うことができる。
【００２３】
ここで、中継局３０を介して端末局２１との送受信については、上述した図１の動作シーケンスにおいて統制局１０の部分が、統制局１０と中継局３０との送受信を介して端末局２１に送受信が為されることとなる。
【００２４】
ここで、一斉指令については、例えば、グループ毎の一斉指令とすることができる。これは例えば、地域毎、消防グループや民間グループ、といったグループ分けである。
また、１つの端末局は、複数グループに属していても良く、またさらに、複数のグループを選択して一斉指令としても良い。
【００２５】
以上のように、本例の同報無線システムでは、指令台１や制御装置２、親局無線装置３から構成される統制局１０と、中継局３０と、子局無線装置６や電話機７から構成される端末局（子局装置）２０、２１を備え、統制局１０から端末局２０、２１に対して同報通信（一斉通報）を実行する場合に、統制局１０は各同報通信毎に重要度情報を付加し、各端末局２０、２１などは、各同報通信（各通報内容）毎の重要度情報に基づいて鳴動音（呼出音）を可変制御する。
また、重要度の高い同報通信を受信し、聴話した旨を返信することにより、統制局１０側において、どの端末局が同報通信を聴話したかを把握することができる。
【００２６】
従って、本例の同報無線システムでは、各端末局２０、２１などにおいて、重要度の高い通報内容であることが受信鳴動により把握でき、例えば、重要な情報の未聴話を防止することや、重要な情報であることをユーザに知らせることができる。
【００２７】
本発明によると、音声一斉指令の重要度や緊急度によって、受令電話機の呼出音の音質や音量を変えることができ、受信側においては、一斉指令そのもののアピール度を明確に把握することができる。
これは、例えば音声一斉指令を発令する統制局と音声一斉指令を受令する複数の端末局から構成される防災行政用の通信システムにおいて、音声一斉指令の緊急度や種類によって電話機の呼出音量または音質が異なる一斉指令方式とするものである。
また、一斉指令受令時、一斉指令の緊急度や種類によって電話機の呼出音量または音質を変えることができる。
すなわち重要度が高い場合には受話音量を大きく、または、受話音質を通常の音質とは変えて鳴動するようにしたため、子局装置では親局装置からの通報情報の重要度に応じて受話鳴動を変えることができる。
【００２８】
以上、詳細に説明したように、例えば従来の防災行政用無線通信システムでは、音声一斉受令時の電話機の呼出鳴動音は一斉指令の内容や緊急度に関わらず同じであり、災害が発生した時に緊急度の高い指令が発令されても、受令側の扱い者は受令電話機の受話器を上げて指令内容を聞くまで緊急な用件であることが判らないといった点があったが、一斉指令の種別に通常一斉と緊急一斉を設け、一斉を受けた制御装置は一斉指令の種別により受令電話機の呼出鳴動音の音量や音質を変えることで効果的な防災行政を行うシステムとすることができる。
すなわち、従来システムでは、平常時には行政上の事務連絡等で音声一斉指令を使用しているため、災害が発生した時に緊急度の高い指令が発令されても、受令側の扱い者は受令電話機の受話器を上げて指令内容を聞くまで緊急な用件であることが判らなかったが、本発明のように、一斉指令の種別に通常一斉と緊急一斉を設け、一斉を受けた制御装置は一斉指令の種別により受令電話機の呼出鳴動音の音量や音質を変えることで緊急な用件であることが判る。
例えば、緊急一斉の場合、通常一斉に比べ大きな音量で受令電話機を呼び出し重要な一斉指令であることをアピールする。または、緊急一斉の場合、通常一斉に比べ高い周波数の呼出音とし重要な一斉指令であることをアピールするものである。
【００２９】
ここで、本発明に係る無線通信システムや親局装置や子局装置や中継局装置などの構成としては、必ずしも以上に示したものに限られず、種々な構成が用いられてもよい。
また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
例えば、音声の情報を通信するものばかりでなく、テキストや画像などの種々な情報を通信するものに適用することも可能である。
【００３０】
また、本発明に係る無線通信システムや親局装置や子局装置や中継局装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３１】
【図１】本発明の実施の形態である統制局から端末局へ一斉指令の情報を送信する場合の動作シーケンスの一例を示す。
【図２】本発明の実施の形態であるデジタル無線通信方式の同報無線システムの構成例を示す。
【図３】本発明の実施の形態である統制局と端末局の送受信を行う場合のデータフォーマットの一例を示す。
【図４】本発明の実施の形態である統制局のメモリテーブルの一例を示してある。
【図５】本発明の実施の形態である端末局のメモリテーブルの一例を示してあり、（ａ）重要度に応じて音量が変わる場合の一例、（ｂ）重要度に応じて音質が変わる場合の一例を示す。
【符号の説明】
【００３２】
１：指令台、２：制御装置、３：親局無線装置、４、５：アンテナ、６：子局無線装置（無線部を含む回線制御装置）、７：電話機、１０：統制局、２０、２１：端末局、３０：中継局。
【図１】
2005348020.tif 000003
【図２】
2005348020.tif 000004
【図３】
2005348020.tif 000005
【図４】
2005348020.tif 000006
【図５】
2005348020.tif 000007